(57)【特許請求の範囲】
【請求項１】
樹脂製の外側シート及び内側シートを重畳した展開状態で、長手方向中心線に対して線対称に裁断されるとともに、該外側シート及び内側シートの所要箇所を溶着した溶着線により空気が入れられる空気室を形成し、該空気室に空気が入れられたとき人体が横臥可能な底壁部及び該底壁部の周囲に立設される側壁部を備えた立体状態と、上記空気室から空気が抜かれたとき平面状になる展開状態とをとり得る折り畳み式浴槽において、
上記外側シート及び内側シートを重畳した展開状態で、上記底壁部を構成し長手方向に沿う両側部が略直線状に形成され長手方向の両端部が略円弧状に形成された底壁部エリアと上記側壁部を構成し長手方向に沿う両側縁が略直線状に形成され長手方向の両端縁が略円弧状に形成された側壁部エリアとを区画するエリア区画溶着線と、上記側壁部エリアの外周縁に沿う外周溶着線とを設け、上記側壁部エリア内に上記エリア区画溶着線に略平行な仮想中間線を設定し、該側壁部エリアのうち少なくとも上記略円弧状の両端縁に対応した一端側エリア及び他端側エリアにおいて、上記底壁部エリア側から略放射状に延び上記仮想中間線に始端を有し上記外周溶着線に終端を有した複数の縦溶着線を設け、互いに隣接する縦溶着線で区画される複数の柱状の柱状エリアを長手方向中心線に対して左右対称になるように列設し、該各一端側エリア及び他端側エリアにおいて、夫々、該複数の柱状エリアのうち少なくとも一対の柱状エリア間であってこれらを形成する縦溶着線と縦溶着線との間に空気の入らない膜状の膜状エリアを形成したことを特徴とする折り畳み式浴槽。
【請求項２】
上記各一端側エリア及び他端側エリアにおいて、夫々、中心線に沿う中央柱状エリアを設け、該中央柱状エリアの両側にある柱状エリアとの間に、夫々、上記膜状エリアを形成したことを特徴とする請求項１記載の折り畳み式浴槽。
【請求項３】
上記柱状エリアの周方向の幅Ｄを、１００ｍｍ≦Ｄ≦２００ｍｍの範囲に設定し、上記膜状エリアの周方向の最大幅Ｅｍａｘを、５０ｍｍ≦Ｅｍａｘ≦１００ｍｍに設定したことを特徴とする請求項２記載の折り畳み式浴槽。
【請求項４】
上記エリア区画溶着線と上記側壁部エリアの外周溶着線との幅Ｈを、３００ｍｍ≦Ｈ≦５００ｍｍの範囲に設定し、上記エリア区画溶着線と上記仮想中間線との幅Ｌを、１００ｍｍ≦Ｌ≦２００ｍｍの範囲に設定したことを特徴とする請求項３記載の折り畳み式浴槽。
【請求項５】
上記底壁部エリアに、空気室を形成しないことを特徴とする請求項１乃至４何れかに記載の折り畳み式浴槽。
【請求項６】
上記底壁部エリアの一端側の中心線Ｐに直交する方向の横幅Ｎａよりも、他端側の中心線Ｐに直交する方向の横幅Ｎｂの方を大きく設定したことを特徴とする請求項１乃至５何れかに記載の折り畳み式浴槽。
【請求項７】
上記側壁部エリアのうち上記略直線状の両側縁に対応した側部エリアに、上記エリア区画溶着線に平行で、両端が上記側部エリアに隣接する柱状エリアの縦溶着線から離間して位置するとともに、互いに所定間隔離間した複数の横溶着線を設けたことを特徴とする請求項１乃至６何れかに記載の折り畳み式浴槽。
【請求項８】
上記エリア区画溶着線と該エリア区画溶着線に隣接する横溶着線との幅Ｍを、上記エリア区画溶着線と上記仮想中間線との幅Ｌ以上で、１００ｍｍ≦Ｍ≦３００ｍｍの範囲に設定したことを特徴とする請求項７記載の折り畳み式浴槽。
【発明の詳細な説明】
【技術分野】
【０００１】
本発明は、寝たきり患者等の介護が必要な人に有用な折り畳み式浴槽に係り、特に、空気を入れることで組み上がる折り畳み式浴槽に関する。
【背景技術】
【０００２】
従来、この種の折り畳み式浴槽としては、先に、本願出願人が提案した特開２００２−０８５５０６号公報（特許文献１）に掲載された技術が知られている。
図８及び図９に示すように、この折り畳み式浴槽１００は、樹脂製の外側シートＳａ及び内側シートＳｂを重畳し、この外側シートＳａ及び内側シートＳｂの所要箇所を溶着した溶着線により空気が入れられる空気室１０１を形成し、空気室１０１に空気が入れられたとき人体が横臥可能な底壁部１０２及び底壁部１０２の周囲に立設される側壁部１０３を備えた立体状態と、空気室１０１から空気が抜かれたとき平面状になる展開状態とをとり得る構成にしている。側壁部１０３には、縦溶着線Ｗｃで区画される複数の柱状の柱状エリア１０４が連接して設けられており、この柱状エリア１０４に空気が入ると、柱状エリア１０４が膨らみ柱状エリア１０４同士が互いに引っ張り合うことにより周方向の長さが縮むことから、この柱状エリア１０４が起立して側壁部１０３を形成していく。
【先行技術文献】
【特許文献】
【０００３】
【特許文献１】特開２００２−０８５５０６号公報
【発明の概要】
【発明が解決しようとする課題】
【０００４】
ところで、この従来の折り畳み式浴槽にあっては、複数の柱状エリア１０４において、隣接する柱状エリア１０４は互いに縦溶着線Ｗｃを共用していることから、密に連接されており、そのため、柱状エリア１０４に空気が満杯になると隣接する柱状エリア１０４同士が互いに反発しあって、周方向に縮むことができなくなり、そのため、側壁部１０３が完全に起立できずに斜めになってしまい、即ち、図８に示すように、側壁部１０３の垂直軸に対する内側の角度θが大きくなってしまい、湯を入れる容量が少なくなるという問題があった。
【０００５】
これを解消するために、従来においては、図１０に示すように、例えば、側壁部１０３をギャッチベッドのギャッチ板１０５等で押えて、略直角に起立するように保持している。しかしながら、側壁部１０３を押える部材を用意できない床面上等では、実質的に、この折り畳み式浴槽１００を使用することが困難になっているという問題があった。
【０００６】
本発明は上記の問題点に鑑みて為されたもので、側壁部を略直立できるようにして、側壁部を押える部材を用いなくても使用できるようにして、汎用性の向上を図った折り畳み式浴槽を提供することを目的とする。
【課題を解決するための手段】
【０００７】
本願発明者は、上記従来の浴槽を提案してから、この点について鋭意研究し、側壁部の直立に係るメカニズムを見出し、本願発明を創作した。即ち、上記の目的を達成するため、本発明の折り畳み式浴槽は、樹脂製の外側シート及び内側シートを重畳した展開状態で、長手方向中心線に対して線対称に裁断されるとともに、該外側シート及び内側シートの所要箇所を溶着した溶着線により空気が入れられる空気室を形成し、該空気室に空気が入れられたとき人体が横臥可能な底壁部及び該底壁部の周囲に立設される側壁部を備えた立体状態と、上記空気室から空気が抜かれたとき平面状になる展開状態とをとり得る折り畳み式浴槽において、
上記外側シート及び内側シートを重畳した展開状態で、上記底壁部を構成し長手方向に沿う両側部が略直線状に形成され長手方向の両端部が略円弧状に形成された底壁部エリアと上記側壁部を構成し長手方向に沿う両側縁が略直線状に形成され長手方向の両端縁が略円弧状に形成された側壁部エリアとを区画するエリア区画溶着線と、上記側壁部エリアの外周縁に沿う外周溶着線とを設け、上記側壁部エリア内に上記エリア区画溶着線に略平行な仮想中間線を設定し、該側壁部エリアのうち少なくとも上記略円弧状の両端縁に対応した一端側エリア及び他端側エリアにおいて、上記底壁部エリア側から略放射状に延び上記仮想中間線に始端を有し上記外周溶着線に終端を有した複数の縦溶着線を設け、互いに隣接する縦溶着線で区画される複数の柱状の柱状エリアを長手方向中心線に対して左右対称になるように列設し、該各一端側エリア及び他端側エリアにおいて、夫々、該複数の柱状エリアのうち少なくとも一対の柱状エリア間であってこれらを形成する縦溶着線と縦溶着線との間に空気の入らない膜状の膜状エリアを形成した構成としている。
【０００８】
膜状エリアは、柱状エリア間であればどの部位に設けても良く、また、複数個所に設けて良い。膜状エリアの幅は、空気室に空気が入れられて、柱状エリアに空気が満杯になった際、膜状エリアが周方向に撓んで縮んで、側壁部を略直立させることができるような寸法に設定される。膜状エリアの幅が小さすぎると、柱状エリア同士が互いに反発しあって、側壁部が完全に起立できずに斜めになってしまう。一方、膜状エリアの幅が大きすぎると、側壁部が撓み易くなり、人や湯を保持する強度に劣る。
【０００９】
これにより、この柱状エリアに空気を入れると、柱状エリアが膨らみ柱状エリア同士が互いに引っ張り合うことにより周方向の長さが縮むことから、この柱状エリアが起立して側壁部を形成していく。これにより、柱状エリアに空気が満杯になっても、柱状エリア間にある膜状エリアが周方向に撓んで縮むことができるようになり、側壁部を略直立させることができるようになる。そのため、従来のような側壁部を押える部材を用いなくても使用でき、ベッド上は勿論のこと、床面上等どのようなところでも使用することができるようになり、汎用性を向上させることができる。
【００１０】
そして、必要に応じ、上記各一端側エリア及び他端側エリアにおいて、夫々、中心線に沿う中央柱状エリアを設け、該中央柱状エリアとその両側にある柱状エリアとの間に、夫々、上記膜状エリアを形成した構成としている。膜状エリアを中央柱状エリアの両側に設けたので、対称形になり、そのため、全体をバランスよく組み立てることができる。
【００１１】
そしてまた、本願発明者は、側壁部を底壁部に対して略直立可能にする寸法関係も、種々実験を重ねて下記の寸法関係にすることが最適であることを見出した。即ち、上記柱状エリアの周方向の幅Ｄを、１００ｍｍ≦Ｄ≦２００ｍｍの範囲に設定し、上記膜状エリアの周方向の最大幅Ｅｍａｘを、５０ｍｍ≦Ｅｍａｘ≦１００ｍｍに設定したことが有効である。
また、上記エリア区画溶着線と上記側壁部エリアの外周溶着線との幅Ｈを、３００ｍｍ≦Ｈ≦５００ｍｍの範囲に設定し、上記エリア区画溶着線と上記仮想中間線との幅Ｌを、１００ｍｍ≦Ｌ≦２００ｍｍの範囲に設定したことが有効である。
これにより、特に、柱状エリアの周方向の幅Ｄ（１００ｍｍ≦Ｄ≦２００ｍｍ）と、空気の通路となるエリア区画溶着線と仮想中間線との幅Ｌ（１００ｍｍ≦Ｌ≦２００ｍｍ）とを、同条件に設定したので、即ち、Ｄ≒Ｌとしたことから、バランスがよくなり、確実に側壁部を略直立させるようにすることができる。
【００１２】
更に、必要に応じ、上記底壁部エリアに、空気室を形成しない構成としている。底壁部エリアが膨らまないことから、側壁部がより一層内側に傾きやすくなり、この点でも、確実に側壁部を略直立させることができるようになる。
【００１３】
更にまた、必要に応じ、上記底壁部エリアの一端側の中心線Ｐに直交する方向の横幅Ｎａよりも、他端側の中心線Ｐに直交する方向の横幅Ｎｂの方を大きく設定した構成としている。幅広の方（横幅Ｎｂの方）に人体の背中を位置させることができるので、スペースに余裕ができ、入浴を楽に行うことができるようになる。
【００１４】
また、必要に応じ、上記側壁部エリアのうち上記略直線状の両側縁に対応した側部エリアに、上記エリア区画溶着線に平行で、両端が上記側部エリアに隣接する柱状エリアの縦溶着線から離間して位置するとともに、互いに所定間隔離間した複数の横溶着線を設けた構成としている。側壁部エリアが複数の横溶着線で仕切られるので、厚さを均一にしてより一層確実に側壁部を略直立させることができるようになる。
【００１５】
この場合、必要に応じ、上記エリア区画溶着線と該エリア区画溶着線に隣接する横溶着線との幅Ｍを、上記エリア区画溶着線と上記仮想中間線との幅Ｌ以上で、且つ、１００ｍｍ≦Ｍ≦３００ｍｍの範囲に設定した構成としている。膨らみのバランスがよくなり、確実に側壁部を略直立させることができるようになる。
【発明の効果】
【００１６】
本発明によれば、この柱状エリアに空気を入れると、柱状エリアが膨らみ柱状エリア同士が互いに引っ張り合うことにより周方向の長さが縮むことから、この柱状エリアが起立して側壁部を形成していくが、柱状エリアに空気が満杯になっても、柱状エリア間にある膜状エリアが周方向に撓んで縮むことができるようになり、側壁部を略直立させることができる。そのため、従来のような側壁部を押える部材を用いなくても使用でき、ベッド上は勿論のこと、床面上等どのようなところでも使用することができるようになり、汎用性を向上させることができる。
【図面の簡単な説明】
【００１７】
【図１】本発明の実施の形態に係る折り畳み式浴槽の立体状態を示す斜視図である。
【図２】本発明の実施の形態に係る折り畳み式浴槽の立体状態を別の角度から見て示す斜視図である。
【図３】本発明の実施の形態に係る折り畳み式浴槽を示す図２中Ｘ−Ｘ線視正面断面図である。
【図４】本発明の実施の形態に係る折り畳み式浴槽を示す図２中Ｙ−Ｙ線視側面断面図である。
【図５】本発明の実施の形態に係る折り畳み式浴槽の展開状態を示す平面図である。
【図６】本発明の実施の形態に係る折り畳み式浴槽に用いる空気栓を示す断面図である。
【図７】本発明の実施の形態に係る折り畳み式浴槽に用いる別の空気栓を示す断面図である。
【図８】従来の折り畳み式浴槽の立体状態を示す正面断面図である。
【図９】従来の折り畳み式浴槽の立体状態を示す側面断面図である。
【図１０】従来の折り畳み式浴槽の立体状態における設置例を示す正面断面図である。
【発明を実施するための形態】
【００１８】
以下、添付図面に基づいて本発明の実施の形態に係る折り畳み式浴槽について詳細に説明する。
図１乃至図５に示すように、本発明の実施の形態に係る折り畳み式浴槽Ｂは、例えばウレタンなどの樹脂製の外側シートＳａ及び内側シートＳｂを重畳して形成されている。材質はこれに限定されるものではない。この重畳した樹脂シートは、展開状態Ｔｂ（図５）で、長手方向中心線Ｐに対して線対称に、略楕円状に裁断されるとともに、外側シートＳａ及び内側シートＳｂの所要箇所を溶着した溶着線（Ｗａ，Ｗｂ，Ｗｃ，Ｗｄ）により空気が入れられる空気室１を形成してなる。外側シートＳａの適宜の位置には、後述するが、空気室１に空気を入れる注気口部２０、及び、空気室１から空気を排気する排気口部３０が設けられている。そして、折り畳み式浴槽Ｂは、注気口部２０から空気室１に空気が入れられたとき人体が横臥可能な底壁部２及び底壁部２の周囲に立設される側壁部３を備えた立体状態Ｔａ（図１乃至図４）と、排気口部３０から空気室１内の空気が抜かれたとき平面状になる展開状態Ｔｂ（図５）とをとり得る。
【００１９】
また、折り畳み式浴槽Ｂは、外側シートＳａ及び内側シートＳｂを重畳した展開状態Ｔｂで、底壁部２を構成し長手方向に沿う両側部が略直線状に形成され長手方向の両端部が略円弧状に形成された底壁部エリア４と、側壁部３を構成し長手方向に沿う両側縁が略直線状に形成され長手方向の両端縁が略円弧状に形成された側壁部エリア５とを区画するエリア区画溶着線Ｗａが設けられている。また、側壁部エリア５の外周縁に沿う外周溶着線Ｗｂが設けられている。
【００２０】
エリア区画溶着線Ｗａで囲繞される底壁部エリア４は、外側シートＳａ及び内側シートＳｂが重畳されているだけであり、空気室１は形成されない。この底壁部エリア４においては、その一端側の中心線Ｐに直交する方向の横幅Ｎａよりも、他端側の中心線Ｐに直交する方向の横幅Ｎｂの方が大きく設定されている。展開状態Ｔｂにおける全長は、例えば、２４００ｍｍ〜３０００ｍｍ、横幅（最大幅）は、例えば、１４００ｍｍ〜１８００ｍｍに設定される。実施の形態では、例えば、全長を２６００ｍｍ、底壁部エリア４の中心軸Ｐ方向の長さを１８００ｍｍ、横幅（最大幅）を１６１０ｍｍにしている。
【００２１】
更に、側壁部エリア５内に、エリア区画溶着線Ｗａに略平行な仮想中間線Ｑを設定し、側壁部エリア５のうち少なくとも略円弧状の両端縁に対応した一端側エリア６及び他端側エリア７において、底壁部エリア４側から略放射状に延び仮想中間線Ｑに始端ａを有し外周溶着線Ｗｂに終端ｂを有した複数の縦溶着線Ｗｃが設けられ、互いに隣接する縦溶着線Ｗｃで区画される複数の柱状の柱状エリア１０が長手方向中心線Ｐに対して左右対称になるように列設されている。各一端側エリア６及び他端側エリア７においては、夫々、中心線Ｐに沿う中央柱状エリア１０（Ａ）が設けられている。一端側エリア６においては、中央柱状エリア１０（Ａ）の左右に、それぞれ、７本ずつの柱状エリア１０が設けられている。他端側エリア７においては、中央柱状エリア１０（Ａ）の左右に、それぞれ、８本ずつの柱状エリア１０が設けられている。
【００２２】
更にまた、各一端側エリア６及び他端側エリア７において、夫々、複数の柱状エリア１０のうち少なくとも一対の柱状エリア１０間であってこれらを形成する縦溶着線Ｗｃと縦溶着線Ｗｃとの間に空気の入らない膜状の膜状エリア１１が形成されている。膜状エリア１１は、柱状エリア１０間であればどの部位に設けても良く、また、複数個所に設けて良いが、実施の形態においては、各一端側エリア６及び他端側エリア７において、中央柱状エリア１０（Ａ）の両側にある柱状エリア１０との間に、夫々、膜状エリア１１が形成されている。
【００２３】
膜状エリア１１の幅は、空気室１に空気が入れられて、柱状エリア１０に空気が満杯になった際、膜状エリア１１が周方向に撓んで縮んで、側壁部３を略直立させることができるような寸法に設定されている。膜状エリア１１の幅が小さすぎると、柱状エリア１０同士が互いに反発しあって、側壁部３が完全に起立できずに斜めになってしまう。一方、膜状エリア１１の幅が大きすぎると、側壁部３が撓み易くなり、人や湯を保持する強度に劣る。
【００２４】
詳しくは、柱状エリア１０の周方向の幅Ｄは、１００ｍｍ≦Ｄ≦２００ｍｍの範囲に設定され、膜状エリア１１の周方向の最大幅Ｅｍａｘは、５０ｍｍ≦Ｅｍａｘ≦１００ｍｍに設定されている。エリア区画溶着線Ｗａと側壁部エリア５の外周溶着線Ｗｂとの幅Ｈは、３００ｍｍ≦Ｈ≦５００ｍｍの範囲に設定され、エリア区画溶着線Ｗａと仮想中間線Ｑとの幅Ｌは、１００ｍｍ≦Ｌ≦２００ｍｍの範囲に設定されている。
【００２５】
また、側壁部エリア５のうち、略直線状の両側縁に対応した側部エリア１２に、エリア区画溶着線Ｗａに平行で、両端がこの側部エリア１２に隣接する柱状エリア１０の縦溶着線Ｗｃから離間して位置するとともに、互いに所定間隔離間した複数（実施の形態では２本）の横溶着線Ｗｄが設けられている。詳しくは、エリア区画溶着線Ｗａとエリア区画溶着線Ｗａに隣接する横溶着線Ｗｄとの幅Ｍは、上記エリア区画溶着線Ｗａと上記仮想中間線Ｑとの幅Ｌ以上で、１００ｍｍ≦Ｍ≦３００ｍｍの範囲に設定されている。即ち、側壁部エリア５には、エリア区画溶着線Ｗａに沿って連通する楕円リング状の空気室１（１００ｍｍ≦Ｌ≦２００ｍｍの範囲の空気室１と、１００ｍｍ≦Ｍ≦３００ｍｍの範囲の空気室１）が形成される。
【００２６】
注気口部２０は、図１及び図２に示すように、他端側エリア７の中央柱状エリア１０（Ａ）に隣接する一方の柱状エリア１０に設けられており、図６に示すように、外側シートＳａに設けられ外気と空気室１とを連通する空気の通路を形成する筒状の本体２１と、本体２１の一端側開口２２を開閉する蓋２３と、本体２１の他端側に設けられ開口２２側から導入される空気をそのエア圧により開になって空気室１内に通すとともに空気室１内側からのエア圧で閉になる弁体２４とを備えて構成されている。空気は、図２に示すように、例えば、エアーコンプレッサー内蔵のハンディ型のエア供給器２５により注入される。
【００２７】
排気口部３０は、図１及び図２に示すように、他端側エリア７の中央柱状エリア１０（Ａ）に隣接する他方の柱状エリア１０に設けられており、図７に示すように、外側シートＳａに設けられ外気と空気室１とを連通する空気の通路を形成する筒状の本体３１と、本体３１の一端側開口３２を開閉する蓋３３とを備えて構成されている。注気口部２０と異なり、弁体は設けられておらず、それだけ、排気がスピーディに行われる。
【００２８】
また、図２に示すように、底壁部２には、排水するための開閉型の排水口部４０が設けられている。排水口部４０には、排水ホース４１が接続可能になっており、排水を容易にすることができる。
【００２９】
従って、実施の形態に係る折り畳み式浴槽Ｂを用いるときは、例えば、寝たきり老人や患者等、入浴介助が必要な人のために用いる。予め、図５に示す展開状態Ｔｂで小さく折り畳んでおく。そのため、持ち運びが容易であり、室内での設置や、ベッド上での設置が容易になる。そして、所要の場所において、浴槽Ｂを図５に示す展開状態Ｔｂにして設置し、例えば、この状態で、入浴者を、底壁部２に横臥させる。そのため、浴槽Ｂが組み立つ前に入浴者を入れることになるので、それだけ、介助作業が容易になる。
【００３０】
この状態で、図６に示すように、注気口部２０の蓋２３を開け、本体２１の開口２２に、エア供給器２５のノズルを差し込んでエアを空気室１内に注入する。これにより、図１乃至図４に示すように、空気室１が膨らみ、即ち、互いに連通する側部エリア１２及び柱状エリア１０からなる側壁部エリア５が膨らんでいく。柱状エリア１０が膨らんでいくと、柱状エリア１０同士が互いに引っ張り合うことにより周方向の長さが縮むことから、この柱状エリア１０が起立して側壁部３を形成していく。この場合、柱状エリア１０に空気が満杯になっても、図１及び図２に示すように、柱状エリア１０間にある膜状エリア１１が周方向に撓んで縮むことができるようになり、側壁部３を略直立させることができるようになる。そのため、従来のような側壁部３を押える部材を用いなくても使用でき、ベッド上は勿論のこと、床面上等どのようなところでも使用することができるようになり、汎用性を向上させることができる。
【００３１】
また、この場合、膜状エリア１１を、中央柱状エリア１０（Ａ）とその両側にある柱状エリア１０との間に、夫々形成したので、全体が対称形になっており、そのため、全体をバランスよく組み立てることができる。また、側壁部３を底壁部２に対して略直立可能にする寸法関係も、種々実験を重ねて上記の寸法関係に設定したので、この点でも、全体をバランスよく組み立てることができる。特に、柱状エリア１０の周方向の幅Ｄ（１００ｍｍ≦Ｄ≦２００ｍｍ）と、空気の通路となるエリア区画溶着線Ｗａと仮想中間線Ｑとの幅Ｌ（１００ｍｍ≦Ｌ≦２００ｍｍ）とを、同条件に設定したので、即ち、Ｄ≒Ｌとしたことから、バランスがよくなり、確実に側壁部３を略直立させるようにすることができる。
【００３２】
更に、底壁部エリア４には空気室１が形成されていないので、底壁部エリア４が膨らまないことから、側壁部３がより一層内側に傾きやすくなり、この点でも、確実に側壁部３を略直立させることができるようになる。更にまた、側壁部エリア５が複数の横溶着線Ｗｄで仕切られるので、厚さを均一にしてより一層確実に側壁部３を略直立させることができるようになる。この場合、エリア区画溶着線Ｗａとエリア区画溶着線Ｗａに隣接する横溶着線Ｗｄとの幅Ｍを、エリア区画溶着線Ｗａと上記仮想中間線Ｑとの幅Ｌ以上で、１００ｍｍ≦Ｍ≦３００ｍｍの範囲に設定しているので、膨らみのバランスがよくなり、確実に側壁部３を略直立させることができるようになる。
【００３３】
そして、この状態で、例えば、図示外の給湯ポンプ等から浴槽Ｂ内に給湯し、入浴を行なう。この場合、底壁部エリア４の一端側の中心線Ｐに直交する方向の横幅Ｎａよりも、他端側の中心線Ｐに直交する方向の横幅Ｎｂの方を大きく設定しているので、幅広の方（横幅Ｎｂの方）に人体の背中を位置させることができ、それだけ、スペースに余裕ができ、入浴を楽に行うことができるようになる。
【００３４】
入浴終了後は、排水口部４０を開にして排水ホース４１から排水を行う。また、排気口部３０の蓋３３を開け、空気室１内から空気を抜く。これにより、浴槽Ｂは、図５に示すように展開状態Ｔｂになり、扁平状になる。この状態で、入浴者を浴槽Ｂから退出させる。この場合、偏平状態で入浴者を移動させることができるので、介助が容易になる。そして、偏平状態の浴槽Ｂを再び折り畳めばコンパクトにすることができ、持ち運びが容易になる。
【００３５】
尚、上記入浴者の入浴は、浴槽Ｂを立体状態Ｔａにしてから入浴するようにしても良く、上記に限定されない。また、寝たきり老人や患者等、入浴介助が必要な人だけに限らず、健常者が用いて良いことは勿論である。
【符号の説明】
【００３６】
Ｂ  折り畳み式浴槽
Ｓａ  外側シート
Ｓｂ  内側シート
１  空気室
２  底壁部
３  側壁部
Ｔａ  立体状態
Ｔｂ  展開状態
４  底壁部エリア
５  側壁部エリア
Ｗａ  エリア区画溶着線
Ｗｂ  外周溶着線
Ｐ  中心線
Ｑ  仮想中間線
６  一端側エリア
７  他端側エリア
Ｗｃ  縦溶着線
ａ  始端
ｂ  終端
１０  柱状エリア
１０（Ａ）  中央柱状エリア
１１  膜状エリア
１２  側部エリア
Ｗｄ  横溶着線
２０  注気口部
２５  エア供給器
３０  排気口部
４０  排水口部
４１  排水ホース
【要約】
【課題】  側壁部を略直立できるようにして、側壁部を押える部材を用いなくても使用できるようにして、汎用性の向上を図る。
【解決手段】  空気室１に空気が入れられた立体状態Ｔａと空気が抜かれた展開状態Ｔｂとをとり得るもので、底壁部エリア４及び側壁部エリア５を区画するエリア区画溶着線Ｗａと、側壁部エリア５の外周縁に沿う外周溶着線Ｗｂとを設け、エリア区画溶着線Ｗａに略平行な仮想中間線Ｑを設定し、一端側エリア６及び他端側エリア７において、底壁部エリア４側から略放射状に延び仮想中間線Ｑに始端ａを有し外周溶着線Ｗｂに終端ｂを有した複数の縦溶着線Ｗｃを設け、互いに隣接する縦溶着線Ｗｃで区画される複数の柱状の柱状エリア１０を列設し、一対の柱状エリア１０間であってこれらを形成する縦溶着線Ｗｃと縦溶着線Ｗｃとの間に空気の入らない膜状の膜状エリア１１を形成した。
【選択図】図１【図１】
0005514346.tif 000002
【図２】
0005514346.tif 000003
【図３】
0005514346.tif 000004
【図４】
0005514346.tif 000005
【図５】
0005514346.tif 000006
【図６】
0005514346.tif 000007
【図７】
0005514346.tif 000008
【図８】
0005514346.tif 000009
【図９】
0005514346.tif 000010
【図１０】
0005514346.tif 000011